(57)【特許請求の範囲】
【請求項１】
発光素子を有する発光表示装置において、
前記発光素子が配置された光透過性を有する枠状部材と、
この枠状部材の下方に設けられた回路基板と、
この回路基板の予め定められている位置に形成された接続端子と、
前記発光素子に一端が固定され、前記接続端子と前記発光素子とを電気的に接続する、互いに異なる形状の複数の導電性のコンタクト部材の中から選択された形状の導電性のコンタクト部材と、
前記枠状部材と前記回路基板との間に配置された中間部材と、
前記接続端子に電気的に接続され、前記コンタクト部材の他端が当接する当接部を有する導電性の固定部材とを備え、
前記コンタクト部材は、前記発光素子と前記接続端子との位置関係により定められる折曲位置にて折曲された折曲部を有し、
前記固定部材は、前記中間部材と前記回路基板との間に設けられた接続孔内に配置されており、前記当接部に前記コンタクト部材の他端が挿入された場合に前記当接部が弾性変形して前記コンタクト部材の他端を押圧し挟持して予め定められている位置に固定することを特徴とする発光表示装置。
【請求項２】
前記折曲部は、
前記発光素子と前記接続端子との位置関係により定められる折曲角度にて折曲されていることを特徴とする請求項１に記載の発光表示装置。
【請求項３】
前記導電性のコンタクト部材は、前記発光素子から前記折曲位置までの直線状の第一折曲部と、前記第一折曲部に対し予め定められた角度をなす前記折曲位置から前記接続端子までの直線状の第二折曲部とを有し、
前記第一折曲部の長さは、前記中間部材の高さに対応して変更可能に形成され、前記第二折曲部の長さは、前記発光素子と前記接続端子との間の水平距離に対応して変更可能に形成されていることを特徴とする請求項１又は２に記載の発光表示装置。
【請求項４】
請求項１〜３のいずれかに記載の発光表示装置を機器ケースに備えたことを特徴とする電子機器。
【発明の詳細な説明】
【技術分野】
【０００１】
本発明は、腕時計、携帯電話機、自動車の計器類などの各種の機器に適用される発光表示装置及びその電子機器に関する。
【背景技術】
【０００２】
従来、電子機器においては、発光素子を回路基板等に設けられた接続端子に接続させ、使用者が所望するときに発光素子を発光させるようにした発光表示装置を備えたものが知られている。
【発明の開示】
【発明が解決しようとする課題】
【０００３】
ところで、このような構成の電子機器においては、発光素子の配置個所と接続端子との間に表示部などの中間部材が介在するなどに起因して、発光素子と接続端子とが所定間隔を置いて配置されると、その発光素子と接続端子とを安定して電気的に接続することが困難となることが考えられる。
【０００４】
本発明の課題は、発光素子と接続端子とが所定間隔を置いて配置されている場合でも、両者を安定して電気的に接続することができ、また、所望する位置に発光素子を配置して効果的に光を発光させることができる発光表示装置及びその電子機器を提供することである。
【課題を解決するための手段】
【０００５】
本発明は、上記の課題を解決するため、以下の様な構成要素を備えている。なお、以下に示す構成要素には、括弧書きにより実施の形態に対応する構成及び図面参照符号を記す。
請求項１記載の発明は、発光素子（例えば、図１９〜図２３の紫外線発光素子２０３）を有する発光表示装置（例えば、図１９の腕時計２００、図２２の腕時計２００ａ、図２３の腕時計２００ｂ）において、
前記発光素子が配置された光透過性を有する枠状部材（例えば、図１９、２０、２２、２３の枠状部材５）と、
この枠状部材の下方に設けられた回路基板（例えば、図１９、２２、２３の回路基板１３）と、
この回路基板の予め定められている位置に形成された接続端子（例えば、図１９、２２、２３の接続端子Ｔ）と、
前記発光素子に一端が固定され、前記接続端子と前記発光素子とを電気的に接続する、互いに異なる形状の複数の導電性のコンタクト部材の中から選択された形状の導電性のコンタクト部材（例えば、図１９、２１〜２３における紫外線発光素子２０３の足ピン２０４）と、
前記枠状部材と前記回路基板との間に配置された中間部材（例えば、図１９、２２、２３のアナログ指針機構１５）と、
前記接続端子に電気的に接続され、前記コンタクト部材の他端が当接する当接部（例えば、図１９、２２、２３の当接部２４ａ）を有する導電性の固定部材（例えば、図１９、２２、２３の固定部材２４）とを備え、
前記コンタクト部材は、前記発光素子と前記接続端子との位置関係により定められる折曲位置にて折曲された折曲部（例えば、図１９、図２１〜図２３の折曲部２０５）を有し、
前記固定部材は、前記中間部材と前記回路基板との間に設けられた接続孔（例えば、図１９、２２、２３の接続孔１５ａ）内に配置されており、前記当接部に前記コンタクト部材の他端が挿入された場合に前記当接部が弾性変形して前記コンタクト部材の他端を押圧し挟持して予め定められている位置に固定することを特徴とする。
【０００６】
請求項１記載の発明によれば、枠状部材に配置された発光素子と、この枠状部材の下方に設けられた回路基板の予め定められている位置に配置された接続端子とをコンタクト部材と固定部材とにより安定して電気的に接続することができ、また、所望する位置に発光素子を配置して効果的に光を照射することができる。
また、発光素子の端子に固定された導電性のコンタクト部材は、異なる形状の複数の導電性のコンタクト部材の中から選択された一つの形状の導電性のコンタクト部材であり、かつ、予め定められた位置に固定されているので、発光素子と接続端子との距離が離れている場合でも、発光素子と接続端子とを電気的に接続することができることとなるとともに、接続端子から離れている位置へも発光素子をより近づけて光を照射することができる。
また、例えば、導電性のコンタクト部材と、導電性の固定部材とが、脱着可能な状態で接続する構成にすることにより、発光素子や枠状部材の交換を容易に行うことができる。
また、コンタクト部材は、発光素子と接続端子との位置関係により定められる折曲位置にて折曲されている折曲部を有しているので、発光素子と接続端子とが所定間隔を置いて配置されている場合でも、コンタクト部材により両者を安定して電気的に接続することができ、また、所望する位置に発光素子を配置して効果的に光を照射することができる。
また、接続端子は、回路基板に形成されているので、発光素子は回路基板に接続されることとなって、この回路基板により発光素子を様々な態様で発光させることができる。
【００１７】
請求項２記載の発明は、請求項１に記載の発光表示装置において、
前記折曲部は、
前記発光素子と前記接続端子との位置関係により定められる折曲角度にて折曲されていることを特徴とする。
【００１８】
請求項２記載の発明によれば、請求項１に記載の発明と同様の効果が得られることは無論のこと、折曲部は、発光素子と接続端子との位置関係に対応して定められる折曲角度にて折曲され、形状を変更することができるので、発光素子と接続端子との配置関係に応じて、最適な位置に発光素子を配置することができる。
【００１９】
請求項３記載の発明は、請求項１又は２に記載の発光表示装置において、
前記導電性のコンタクト部材は、前記発光素子から前記折曲位置までの直線状の第一折曲部（例えば、図１９、２２、２３の第一折曲部２０５ａ）と、前記第一折曲部に対し予め定められた角度をなす前記折曲位置から前記接続端子までの直線状の第二折曲部（例えば、図１９、２２、２３の第二折曲部２０５ｂ）とを有し、
前記第一折曲部の長さは、前記中間部材の高さに対応して変更可能に形成され、前記第二折曲部の長さは、前記発光素子と前記接続端子との間の水平距離に対応して変更可能に形成されていることを特徴とする。
【００２０】
請求項３記載の発明によれば、請求項１又は２に記載の発明と同様の効果が得られることは無論のこと、導電性のコンタクト部材は、中間部材の高さに対応して長さが変更可能に形成された第一折曲部と、発光素子と接続端子との間の水平距離に対応して長さが変更可能に形成された第二折曲部とを有しているので、中間部材の大きさ、形状や、発光素子と接続端子との距離関係、位置関係に応じて、発光素子と接続端子とを電気的に接続することができ、発光素子の配置位置の自由度がより高まることとなって、様々なデザインや大きさの発光表示装置とすることができる。
【００２７】
請求項４記載の発明は、請求項１〜３のいずれかに記載の発光表示装置を機器ケース（例えば、図１９、２２、２３の時計ケース２）に備えたことを特徴とする電子機器（例えば、図１９の腕時計２００、図２２の腕時計２００ａ、図２３の腕時計２００ｂ）。
【００２８】
請求項４記載の発明によれば、配置される発光素子と、接続端子との間の接続距離等、その電子機器に応じた接続手段により、その発光素子と接続端子とを安定して接続することができるので、様々な機器ケースに発光表示装置を備えることができ、様々な電子機器に発光表示機能を付与することができる。
【発明の効果】
【００２９】
請求項１記載の発明によれば、枠上部材に配置された発光素子とこの枠上部材の下方の予め定められている位置に配置された接続端子とを接続部材により安定して電気的に接続することができ、また、所望する位置に発光素子を配置して効果的に発光部を発光させることができる。
【００３０】
請求項２記載の発明によれば、請求項１記載の発明と同様の効果が得られることは無論のこと、接続部材は、発光素子と接続端子との位置関係に対応して、寸法或いは形状を変更することができるので、発光素子と接続端子との位置関係の制約がより少なくなって、発光素子の配置の自由度を高めることができ、発光表示装置自体の大きさ等の自由度を高めることができる。
【００３１】
請求項３記載の発明によれば、請求項１記載の発明と同様の効果が得られることは無論のこと、発光素子と接続端子との間の距離が離れている場合でも、導電性を有する接続部材を介し、発光素子と接続端子とを電気的に接続することができるとともに、接続端子から離れている発光部へも発光素子をより近づけて光を照射することができる。
また、発光素子の端子に当接する導電性のコンタクト部材が、接続端子に電気的に接続された導電性の付勢部材により発光素子側に付勢されて発光素子と接続端子とを電気的に接続するようにしたので、付勢部材の付勢力により、発光素子と接続端子との間隔に誤差が生じた場合や当該装置に衝撃が加えられた場合でも、その接続を安定して維持することができる。
【００３２】
請求項４記載の発明によれば、請求項１記載の発明と同様の効果が得られることは無論のこと、発光素子と接続端子との距離が離れている場合でも、導電性を有する付勢部材を介し、発光素子と接続端子とを電気的に接続することができるとともに、接続端子から離れている発光部へも発光素子をより近づけて光を照射することができる。
また、接続端子に電気的に接続された導電性の付勢部材が、発光素子の端子に当接して発光素子側に付勢されるので、発光素子と接続端子との間隔に誤差が生じた場合や、当該装置に衝撃が加えられた場合でも、その接続を安定して維持することができる。
また、一つの部材により発光素子と接続端子との電気的接続を行うので、部品点数を削減することができる。
【００３３】
請求項５記載の発明によれば、接続端子と発光素子とを電気的に接続する接続部材は、発光素子と接続端子との位置関係により定められる折曲位置にて折曲されている折曲部を有しているので、発光素子と接続端子とが所定間隔を置いて配置されている場合でも、接続部材により両者を安定して電気的に接続することができ、また、所望する位置に発光素子を配置して効果的に発光部を発光させることができる。
【００３４】
請求項６記載の発明によれば、請求項１及び請求項５記載の発明と同様の効果が得られることは無論のこと、発光素子の端子に固定された導電性のコンタクト部材は、導電性の固定部材により、予め定められた位置に固定されるので、発光素子と接続端子との距離が離れている場合でも、発光素子と接続端子とを電気的に接続することができることとなるとともに、接続端子から離れている発光部へも発光素子をより近づけて光を照射することができる。
また、例えば、導電性のコンタクト部材と、導電性の固定部材とが、脱着可能な状態で接続する構成にすることにより、発光素子や枠状部材の交換を容易に行うことができる。
【００３５】
請求項７記載の発明によれば、請求項５記載の発明と同様の効果が得られることは無論のこと、折曲部は、発光素子と接続端子との位置関係に対応して定められる折曲角度にて折曲され、形状を変更することができるので、発光素子と接続端子との配置関係に応じて、最適な位置に発光素子を配置することができる。
【００３６】
請求項８記載の発明によれば、請求項５記載の発明と同様の効果が得られることは無論のこと、導電性のコンタクト部材は、中間部材の高さに対応して長さまたは角度が変更可能に形成された第一折曲部と、発光素子と接続端子との間の水平距離に対応して長さまたは角度が変更可能に形成された第二折曲部とを有しているので、中間部材の大きさ、形状や、発光素子と接続端子との距離関係、位置関係に応じて、発光素子と接続端子とを電気的に接続することができ、発光素子の配置位置の自由度がより高まることとなって、様々なデザインや大きさの発光表示装置とすることができる。
【００３７】
請求項９記載の発明によれば、請求項１又は請求項５記載の発明と同様の効果が得られることは無論のこと、発光素子と接続端子との距離が離れている場合でも、発光素子の端子に固定された導電性のコンタクト部材が、接続端子に半田付けされ、発光素子と接続端子とを電気的に接続することができるとともに、接続端子から離れている発光部へも発光素子をより近づけて光を照射することができる。
また、この半田付けにより部品点数を削減した安価な接続とすることができ、製品の低価格化に対応できる。
【００３８】
請求項１０記載の発明によれば、請求項１又は請求項５記載の発明と同様の効果が得られることは無論のこと、枠状部材と接続端子との間に中間部材が備えられている場合、接続部材を中間部材に形成された貫通孔に挿入して発光素子と接続端子とを接続するようにしたので、接続部材の固定を安定に保つことができる。
【００３９】
請求項１１記載の発明によれば、請求項１又は請求項５記載の発明と同様の効果が得られることは無論のこと、接続端子は、回路基板に形成されているので、発光素子は回路基板に接続されることとなって、この回路基板により発光素子を様々な態様で発光させることができる。
【００４０】
請求項１２記載の発明によれば、配置される発光素子と、接続端子との間の接続距離等、その電子機器に応じた接続手段により、その発光素子と接続端子とを安定して接続することができるので、様々な機器ケースに発光表示装置を備えることができ、様々な電子機器に発光表示機能を付与することができる。
【発明を実施するための最良の形態】
【００４１】
以下、図を参照して本発明を腕時計に適用した実施の形態を詳細に説明する。
〔第１の実施の形態〕
図１は本発明の腕時計を示した平面図であり、図２は図１のII−II線における要部の拡大断面図である。
図１、２に示すように、この腕時計１００には、発光表示装置である時計モジュール１を内部に収納する機器ケースとしての時計ケース２が備えられ、時計ケース２の上部中央には時計ガラス３がパッキン４を介して装着されている。また、時計モジュール１に備えられている枠状部材５は、その上部を時計ガラス３に当接するように配置されている。さらに、この時計ケース２の下面には、裏蓋６が防水リング７を介して取り付けられており、時計モジュール１と裏蓋６との間には、緩衝部材８が設けられている。また、この時計ケース２の上部外周にはベゼル９が設けられている。更に、時計ケース２には、バンド軸２Ａを介し、時計バンドＢが取り付けられている。
【００４２】
時計モジュール１は、アナログ機能とデジタル機能のうち、少なくとも一方を備えたものであり、図２にはその両方を備えたものを示している。図２に示すように時計モジュール１には、中間部材としての上部ハウジング１０と下部ハウジング１１とが備えられ、上部ハウジング１０の上面に文字板１２（中間部材）が配置され、その文字板１２の上面に枠状部材５が配置されている。また、枠状部材５の下方であって、予め定められた間隔を有する上部ハウジング１０と下部ハウジング１１との間に回路基板１３が配置されている。時計モジュール１は、これら文字板１２、上部ハウジング１０、回路基板１３、および下部ハウジング１１が時計ケース２の中枠１４に取り付けられた構造になっている。
また、上部ハウジング１０には、アナログ指針機構１５と液晶表示素子１６とが備えられており、下部ハウジング１１には、例えば、アナログ指針機構１５と液晶表示素子１６等が動作するための電池（図示せず）が組み込まれている。
【００４３】
アナログ指針機構１５は、文字板１２に設けられた軸孔１２ａからその上方に延びる指針軸１７と、この指針軸１７に取り付けられた時針、分針などの指針１８とを備え、この指針１８が文字板１２の上方を運針するように構成されている。ここで、文字板１２と指針１８にはそれぞれ発光素子からの光を受光して発光する発光部１９が所定の個所に設けられている。
液晶表示素子１６は、例えば、上下一対の透明な電極基板間に液晶を封入した液晶セルの上面に上偏光板、液晶セルの下面に下偏光板を設けたものであり、液晶セルの一対の電極基板間に電圧を印加した状態に応じて、時刻などの情報を表示するように構成されているものである。この液晶表示素子１６は、文字板１２に設けられた窓部１２ｃから視認することができる。
【００４４】
枠状部材５は、例えば、光透過性を有する合成樹脂、特に透明な合成樹脂で形成されている。この枠状部材５は、図２に示すように、時計ガラス３の周縁部の下面と文字板１２（上部ハウジング１０）の周縁部の上面とに当接した状態で、時計ケース２の内周面に装着されている。また、この枠状部材５の所定個所、例えば、図１に示すように１２時と６時とに対応する個所には、ブラックライトと呼ばれる紫外線発光素子２０１が配置されている。紫外線発光素子２０１が配置された枠状部材５は、保護部材または緩衝部材としての機能も兼備した部材である。紫外線発光素子２０１は、例えば波長が２５４〜４２０ｎｍ（ナノメートル）の紫外線、又は波長が３７４〜３８９ｎｍの紫外線、好ましくは３６５ｎｍ付近の紫外線を発光する紫外線灯または紫外線発光ダイオード（ＬＥＤ）などで構成されている。
【００４５】
この紫外線発光素子２０１は、例えば、図３に示すように、光出力部２０ａと、光出力部２０ａの底面に設けられ、その一部が側面まで回り込んで延出された電極端子２０ｂと、底面の略中央に備えられた緩衝材２０ｃ等で構成されている。また、この紫外線発光素子２０１は、図２、図４に示すように、枠状部材５に埋設されており、紫外線発光素子２０１から出力された紫外線は、光透過性を有する枠状部材５に採り込まれ、採り込まれた紫外線は、枠状部材５が導光板の働きをして枠状部材５全体より出射されるようになっている。従って、紫外線発光素子２０１から離れた箇所にも枠状部材５を介して照射される。また、紫外線発光素子２０１は、例えば、１２時と６時とに対応する個所に対角線上に配置するようにしているので、効率よく紫外線が照射される。
【００４６】
また、この紫外線発光素子２０１は、図２に示すように、紫外線発光素子２０１に当接するコンタクト部材２１と、このコンタクト部材２１を付勢する付勢部材としてのコイルばね２２とで構成されている接続部材２１Ａにより支持されて、固定されている。このコンタクト部材２１は、紫外線発光素子２０１の電極端子２０ｂに対応した一対の支持軸２１ａ（図２では一方のみを示す）を有しており、その支持軸２１ａが電極端子２０ｂに当接している。
【００４７】
コンタクト部材２１は、導電性を有し、その中央部は上部ハウジング１０に設けられた貫通孔１０ａ内に挿入されるとともに、文字板１２に設けられた貫通孔１２ｂ、および枠状部材５に設けられた貫通孔５ａを通され、枠状部材５の上端部は、上方に突出するように配置される。この突出した上端部（一対の支持軸２１ａ）に紫外線発光素子２０１が当接されている。紫外線発光素子２０１の光出力部２０ａと時計ガラス３の間には、緩衝部材２３が取り付けられている。
【００４８】
コイルばね２２は、導電性を有し、上部ハウジング１０に設けられた貫通孔１０ａ内に挿入され、その下端部が回路基板１３に形成された接続端子Ｔに弾接し、上端部がコンタクト部材２１の下端部に弾接している。これにより、コイルばね２２はコンタクト部材２１を紫外線発光素子２０１側に付勢し、弾性的に支持している。また、コンタクト部材２１とコイルばね２２とで構成された接続部材２１Ａにより紫外線発光素子２０１と回路基板１３とは電気的に接続されている。
【００４９】
発光部１９は、図２、図５に示すように、文字板１２における所定個所、例えばマーク部分や時字の上面や、アナログ指針機構１５における指針１８の所定の個所に、樹脂部１９ａや、印刷部または塗装部１９ｂとして形成されている。その発光部１９上面は透明なオーバーコート（図示せず）で覆われて保護されていることが好ましい。
これら発光部１９は、例えば、波長が３５０〜４２０ｎｍ、または２５４〜３６５ｎｍの紫外線に反応して有色発光し、紫外線が照射されない通常状態のときに透明な状態を呈するものである。つまり、紫外線発光素子２０１から出力された紫外線や、光透過性を有する枠状部材５を介して出射される紫外線に反応して、発光部１９は有色発光する。
【００５０】
この発光部１９の発光色は、緑（または黄色）、青、赤の３色を基本として、様々な色バリエーションがある。ここで、各時計部品に設けられる各発光部１９は、全て同じ発光色でのものであっても良いが、時刻を視認しやすくするために、少なくとも文字板１２と指針１８との各発光部１９の発光色がそれぞれ異なっていることが好ましい。例えば、文字板１２の発光部１９は赤系色で発光し、指針１８の発光部１９は青系色で発光する、というように文字板１２と指針１８のそれぞれ発光色が異なる方が時刻を確認しやすい。また、文字板１２のマーク部分の発光部１９と時字の発光部１９との各発光色も、それぞれ異なっていてもよく、時字毎に発光色が異なっていてもよい。
【００５１】
このように、第１の実施の形態にかかる腕時計によれば、この紫外線発光素子２０１と、回路基板１３とが予め定められている間隔を置いて配置されている場合でも、導電性を有する接続部材２１Ａを介し、紫外線発光素子２０１と回路基板１３とを電気的に接続することができる。従って、回路基板１３から離れている発光部１９へも紫外線発光素子２０１をより近づけて紫外線を照射することができる。
また、この紫外線発光素子２０１は、接続部材２１Ａであるコンタクト部材２１とコイルばね２２とにより時計ケース２内に弾性的に固定されているので、時計ケース２が外部から衝撃を受けても、その衝撃をコイルばね２２で吸収することができる。
特に、腕時計の機能やサイズが異なる機種毎に、時計モジュール１や上部ハウジング１０の厚みが異なることにより、紫外線発光素子２０１と回路基板１３との距離が異なる場合や、各部材の寸法誤差などにより、紫外線発光素子２０１と回路基板１３との距離が異なるといった場合に、コイルばね２２の弾性変形により紫外線発光素子２０１を時計ケース２内に確実に固定することができると共に、紫外線発光素子２０１と時計モジュール１内の回路基板１３とを容易に且つ確実に電気的に接続することができる。
【００５２】
また、所望するときに紫外線発光素子２０１を発光させて各発光部１９を自由に有色発光させることができ、時刻を良好に視認することができるとともに、色彩性および装飾性に優れたものを得ることができる。特に、紫外線発光素子２０１から発せられた紫外線は、光透過性を有する枠状部材５に採り込まれ、枠状部材５が導光板の働きをして採り込まれた紫外線が枠状部材５の内周面全体から出射され、発光部１９を照射することができるので、紫外線発光素子２０１から離れた位置の発光部１９も同様に有色発光させることができる。
特に、図６または図７に示すように紫外線発光素子２０１を枠状部材５の外周側内部に配置させることにより、紫外線発光素子２０１から発せられた紫外線の大部分が光透過性を有する枠状部材に取り込まれ、より効率的な照射ができる。
また、枠状部材５と回路基板１３の接続端子Ｔとの間に、中間部材としての上部ハウジング１０や文字板１２が設けられていても、それらに設けられた貫通孔１０ａ、貫通孔１２ｂにコンタクト部材２１を通すことにより、紫外線発光素子２０１と回路基板１３の接続端子Ｔとの接続を行うことができる。
【００５３】
また、上記第１の実施の形態では、枠状部材５の上部に紫外線発光素子２０１を備える構成にしたが、これに限らず、例えば、図６または図７に示すような構成にしてもよい。
【００５４】
具体的には、例えば、図６に示された変形例のように、時計ケース２の内周面から突出した凸部２ａを文字板１２から離間した位置に設け、この凸部２ａの下面と、文字板１２の上面との間に、紫外線発光素子２０１を、枠状部材５の外周面の下部に対向して配置するようにしてもよい。そして、紫外線発光素子２０１を、コンタクト部材２１とコイルばね２２とにより支持して固定する。このような配置構造でも、図２に示す配置構造のものと同様の作用効果が得られる。
【００５５】
また、図７に示された変形例のように、時計ケース２の内周面から突出した凸部２ａを文字板１２から離間した位置に設け、この凸部２ａの上面と、枠状部材５の上部から外側に突出した突出部５ｂの下面との間に、紫外線発光素子２０１を、枠状部材５の外周面に対向して配置するようにしてもよい。そして、紫外線発光素子２０１を、コンタクト部材２１とコイルばね２２とにより支持して固定する。このような構造でも、図２に示す配置構造のものと同様の作用効果が得られる。
【００５６】
なお、第１の実施の形態で説明した、紫外線発光素子２０１と回路基板１３とを、コンタクト部材２１とコイルばね２２とにより接続する方法は、紫外線発光素子２０１と回路基板１３とを弾接する際に、その接続距離が長く、コイルばね２２のみによる接続では、コイルばね２２に座屈等の変形が生じ、接続不良を起こしてしまう可能性がある場合に有効な接続方法である。
【００５７】
［第２の実施の形態］
次に、図８を参照して、本発明を腕時計に適用した第２の実施の形態について説明する。なお、第１の実施の形態と同一部分には同一符号を付し、異なる部分についてのみ説明する。
【００５８】
紫外線発光素子２０１は、図８に示すように、紫外線発光素子２０１の電極端子２０ｂに当接する接続部材としての付勢部材を構成している一対のコイルばね２２Ａ（同図では一方のみを示す）により支持されて、固定されている。
このコイルばね２２Ａは、導電性を有し、上部ハウジング１０に設けられた貫通孔１０ａ内に挿入されるとともに、文字板１２に設けられた貫通孔１２ｂ、および枠状部材５に設けられた貫通孔５ａを通され、枠状部材５の上方にその上端部が突出するように配置される。この突出した上端部に紫外線発光素子２０１が当接されている。また、コイルばね２２Ａは、その下端部が回路基板１３に形成された接続端子Ｔに弾接している。これにより、コイルばね２２Ａは紫外線発光素子２０１を付勢し、弾性的に支持すると共に、コイルばね２２Ａを介して紫外線発光素子２０１と回路基板１３とを電気的に接続している。
【００５９】
このように、第２の実施の形態にかかる腕時計によれば、第１の実施の形態と同様に、この紫外線発光素子２０１と、回路基板１３とが予め定められている間隔を置いて配置されている場合でも、導電性を有するコイルばね２２Ａを介し、紫外線発光素子２０１と回路基板１３とを電気的に接続することができるとともに、回路基板１３から離れている発光部１９へも紫外線発光素子２０１をより近づけて紫外線を照射することができる。
更に、紫外線発光素子２０１はコイルばね２２Ａにより時計ケース２内に弾性的に固定されているので、時計ケース２が外部から衝撃を受けても、その衝撃をコイルばね２２で吸収することができる。また、各製品において紫外線発光素子２０１と回路基板１３との距離が異なるといった場合に、コイルばね２２Ａの弾性変形により紫外線発光素子２０１を時計ケース２内に確実に固定することができると共に、紫外線発光素子２０１と時計モジュール１内の回路基板１３とを容易に且つ確実に電気的に接続することができる。
特に、第１の実施の形態に比べ、紫外線発光素子２０１を支持、固定する部材がコイルばね２２Ａのみであり、部材（コンタクト部材２１）が一つ減ったことにより、組み付けが容易になるとともに、コストを減らすことができる。
【００６０】
また、上記第２の実施の形態では、枠状部材５の上部に紫外線発光素子２０１を備える構成にしたが、これに限らず、例えば図９または図１０に示すような構成にしてもよい。
【００６１】
具体的には、例えば、図９に示された変形例のように、時計ケース２の内周面から突出した凸部２ａを文字板１２から離間した位置に設け、この凸部２ａの下面と、文字板１２の上面との間に、紫外線発光素子２０１を、枠状部材５の外周面の下部に対向して配置するようにしてもよい。そして、紫外線発光素子２０１を、コイルばね２２Ａにより支持して固定する。このような配置構造でも、図８に示す配置構造のものと同様の作用効果が得られる。
【００６２】
また、図１０に示された変形例のように、時計ケース２の内周面から突出した凸部２ａを文字板１２から離間した位置に設け、この凸部２ａの上面と、枠状部材５の上部から外側に突出した突出部５ｂの下面との間に、紫外線発光素子２０１を、枠状部材５の外周面に対向して配置するようにしてもよい。そして、紫外線発光素子２０１を、コイルばね２２Ａにより支持して固定する。このような構造でも、図８に示す配置構造のものと同様の作用効果が得られる。
【００６３】
［第３の実施の形態］
次に、図１１、１２を参照して、本発明を腕時計に適用した第３の実施の形態について説明する。なお、第１の実施の形態と同一部分には同一符号を付し、異なる部分についてのみ説明する。
【００６４】
紫外線発光素子２０２は、図１１に示すように、光出力部２０ａに電極端子または接続部材（コンタクト部材）としてのストレート形状の足ピン２０ｄが設けられたものである。このように、紫外線発光素子２０２は紫外線発光素子２０１と異なる形状を有するので、異なる符合を付して説明する。
【００６５】
紫外線発光素子２０２の足ピン２０ｄは、図１２に示すように、枠状部材５に設けられた貫通孔５ａ、文字板１２に設けられた貫通孔１２ｂに挿入され、さらに、上部ハウジング１０に設けられた貫通孔１０ａ内に挿入される。貫通孔１０ａ内には、回路基板１３の接続端子Ｔに接続された導電性を有する固定部材（接続部材）２４が備えられている。そして、固定部材２４は、挿入された足ピン２０ｄが当接する当接部２４ａを備え、当接部２４ａは、弾性変形することにより固定部材２４を予め定められている位置である貫通孔１０ａの壁面に付勢させることができるようになっている。従って、この固定部材２４により足ピン２０ｄを押圧し、挟持させることができ、これにより紫外線発光素子２０２は、支持、固定されるとともに、回路基板１３と電気的に接続される。
【００６６】
このように、第３の実施の形態にかかる腕時計によれば、第１の実施の形態と同様に、この紫外線発光素子２０２と、回路基板１３との間の距離が離れている場合でも、導電性を有する固定部材２４を介し、紫外線発光素子２０２と回路基板１３とを電気的に接続することができるとともに、回路基板１３から離れている発光部１９へも紫外線発光素子２０２をより近づけて紫外線を照射することができる。
また、所望するときに紫外線発光素子２０２を発光させて各発光部１９を自由に有色発光させることができるとともに、紫外線発光素子２０２は、その足ピン２０ｄが固定部材２４により押圧挟持されて固定されているので、その脱着が可能であり、紫外線発光素子２０２の交換を容易に行うことができる状態で、紫外線発光素子２０２と時計モジュール１内の回路基板１３とを電気的に接続することができる。
【００６７】
また、上記第３の実施の形態では、枠状部材５の上部に紫外線発光素子２０２の光出力部２０ａを備える構成にしたが、これに限らず、例えば図１３または図１４に示すような構成にしてもよい。
【００６８】
具体的には、例えば、図１３に示された変形例のように、時計ケース２の内周面から突出した凸部２ａを文字板１２から離間した位置に設け、この凸部２ａの下面と、文字板１２の上面との間に、紫外線発光素子２０２の光出力部２０ａを、枠状部材５の外周面の下部に対向して配置するようにしてもよい。そして、紫外線発光素子２０２の足ピン２０ｄを、固定部材２４により押圧し、挟持して固定する。このような配置構造でも、図１２に示す配置構造のものと同様の作用効果が得られる。
【００６９】
また、図１４に示された変形例のように、時計ケース２の内周面から突出した凸部２ａを文字板１２から離間した位置に設け、この凸部２ａの上面と、枠状部材５の上部から外側に突出した突出部５ｂの下面との間に、紫外線発光素子２０２の光出力部２０ａを、枠状部材５の外周面に対向して配置するようにしてもよい。そして、紫外線発光素子２０２の足ピン２０ｄを、固定部材２４により押圧し、挟持して固定する。このような配置構造でも、図１２に示す配置構造のものと同様の作用効果が得られる。
【００７０】
［第４の実施の形態］
次に、図１５を参照して、本発明を腕時計に適用した第４の実施の形態について説明する。なお、第１の実施の形態と同一部分には同一符号を付し、異なる部分についてのみ説明する。
【００７１】
紫外線発光素子２０２の足ピン２０ｄは、図１５に示すように、枠状部材５に設けられた貫通孔５ａ、文字板１２に設けられた貫通孔１２ｂに挿入され、さらに、上部ハウジング１０に設けられた貫通孔１０ａ内に挿入される。貫通孔１０ａ内に挿入された足ピン２０ｄの先端部は、回路基板１３の接続端子Ｔに半田付けされ（半田固定部２５）、紫外線発光素子２０２は固定される。これにより紫外線発光素子２０２は、回路基板１３と電気的に接続される。
【００７２】
このように、第４の実施の形態にかかる腕時計によれば、第１の実施の形態と同様に、この紫外線発光素子２０２と、回路基板１３との間の距離が離れている場合でも、足ピン２０ｄの先端部を半田付けすることにより、紫外線発光素子２０２と回路基板１３とを電気的に接続することができるとともに、回路基板１３から離れている発光部１９へも紫外線発光素子２０２をより近づけて紫外線を照射することができる。
また、所望するときに紫外線発光素子２０２を発光させて各発光部１９を自由に有色発光させることができるとともに、紫外線発光素子２０２は、その足ピン２０ｄが半田付け（半田固定部２５）により固定されているので、部品点数を削減した安価な接続とすることができ、製品の低価格化に対応できる。
【００７３】
また、上記第４の実施の形態では、枠状部材５の上部に紫外線発光素子２０２の光出力部２０ａを備える構成にしたが、これに限らず、例えば図１６または図１７に示すような構成にしてもよい。
【００７４】
具体的には、例えば、図１６に示された変形例のように、時計ケース２の内周面から突出した凸部２ａを文字板１２から離間した位置に設け、この凸部２ａの下面と、文字板１２の上面との間に、紫外線発光素子２０２の光出力部２０ａを、枠状部材５の外周面の下部に対向して配置するようにしてもよい。そして、紫外線発光素子２０２の足ピン２０ｄを、回路基板１３の接続端子Ｔに半田付け（半田固定部２５）により固定する。このような配置構造でも、図１５に示す配置構造のものと同様の作用効果が得られる。
【００７５】
また、図１７に示された変形例のように、時計ケース２の内周面から突出した凸部２ａを文字板１２から離間した位置に設け、この凸部２ａの上面と、枠状部材５の上部から外側に突出した突出部５ｂの下面との間に、紫外線発光素子２０２の光出力部２０ａを、枠状部材５の外周面に対向して配置するようにしてもよい。そして、紫外線発光素子２０２の足ピン２０ｄを、回路基板１３の接続端子Ｔに半田付け（半田固定部２５）により固定する。このような配置構造でも、図１５に示す配置構造のものと同様の作用効果が得られる。
【００７６】
〔第５の実施の形態〕
次に、図１８から図２３を参照して、本発明を腕時計に適用した第５の実施の形態について説明する。図１８は本実施の形態の腕時計を示した平面図であり、図１９は図１８のIXX−IXX線における要部の拡大断面図である。なお、第１の実施の形態と同一の機能を有する部分には同一符号を付し、異なる部分についてのみ説明する。
【００７７】
図１８、図１９に示すように、この腕時計２００には、発光表示装置である時計モジュール１を内部に収納する機器ケースとしての時計ケース２が備えられ、時計ケース２の上部中央には時計ガラス３がパッキン４を介して装着されている。また、時計モジュール１に備えられているアナログ指針機構１５の上面に文字板１２が配置され、その文字板１２の上面に図２０に示される枠状部材５が配置されている。その枠状部材５は、その上部が時計ケース２の内周から突出した凸部２ａの下面に当接し、その外周部が時計ケース２の内周面に装着されている。さらに、この時計ケース２の下面には、裏蓋６が取り付けられている。また、時計ケース２のバンド取付部２Ｂには、時計バンドＢが取り付けられている。
【００７８】
アナログ指針機構１５は、文字板１２に設けられた軸孔１２ａからその上方に延びる指針軸１７と、この指針軸１７に取り付けられた時針、分針、秒針などの指針１８とを備え、この指針１８が文字板１２の上方を運針するように構成されている。この文字板１２と指針１８には、それぞれ紫外線発光素子２０３から出力される光に反応して有色発光する発光部１９が所定の個所に設けられている。
【００７９】
また、アナログ指針機構１５の下面に回路基板１３が配置されており、アナログ指針機構１５と回路基板１３の間に設けられた接続孔１５ａ内には、回路基板１３の接続端子Ｔに接続された導電性を有する固定部材（接続部材）２４が備えられている。そして、枠状部材５の所定の個所（例えば、図２０に示される、文字板１２の１２時と６時に対応する位置）へ配置された紫外線発光素子２０３に備えられたコンタクト部材または接続部材としての足ピン２０４は、所定の折曲位置Ｐにおいて所定の折曲角度（例えば、９０°）で折曲されている折曲部２０５を備えている。この足ピン２０４における折曲部２０５は、折曲位置Ｐから紫外線発光素子２０３の光出力部２０ａまでの第一折曲部２０５ａと、折曲位置Ｐから足ピン２０４の先端までの第二折曲部２０５ｂとを有し、中間部材であるアナログ指針機構１５と文字板１２の間に設けられた空間１５ｂ内に配置されるとともに、第二折曲部２０５ｂは接続孔１５ａに挿入され、固定部材２４の当接部２４ａにより、回路基板１３に付勢されている。このように、固定部材２４により足ピン２０４の第二折曲部２０５ｂが押圧され、挟持されることにより、紫外線発光素子２０３は、支持、固定されるとともに、回路基板１３と電気的に接続される。
【００８０】
次に、図２１を参照して、折曲可能な足ピン２０４を備えた紫外線発光素子２０３の製法の一例について説明する。
図２１（Ａ）に示すように、紫外線発光素子２０３は、図３に示した紫外線発光素子２０１の光出力部２０ａに電極端子または接続部材（コンタクト部材）としての足ピン２０４を備えている。ここで、紫外線発光素子２０３は、光出力部２０ａに電極端子または接続端子（コンタクト部材）としての折曲自在な足ピンが設けられたものであり、紫外線発光素子２０１と異なる形状を有するので、異なる符合を付した。
図２１（Ｂ）〜（Ｄ）に示す紫外線発光素子２０３は、図２１（Ａ）に示される紫外線発光素子２０３の足ピン２０４を所望の個所（折曲位置Ｐ）において、所定の角度（例えば、９０°）に折曲することにより、図２１（Ｂ）、（Ｃ）に示される紫外線発光素子２０３のように、直線状の第一折曲部２０５ａと直線状の第二折曲部２０５ｂを有する折曲部２０５を形成する。また、足ピン２０４を、任意の位置で切断することにより、図２１（Ｄ）に示される紫外線発光素子２０３のように、その足ピン２０４の長さを調整する。
このように、紫外線発光素子２０３に備えられた足ピン２０４の折曲部２０５における第一折曲部２０５ａと、第二折曲部２０５ｂの各々の長さおよび角度は変更可能である。
なお、図２１（Ａ）に示される紫外線発光素子２０３の正面図は、図１１（Ａ）に示される紫外線発光素子２０２と同様の形状である。
【００８１】
前述のように、紫外線発光素子２０３に備えられる足ピン２０４の折曲部２０５における第一折曲部２０５ａと第二折曲部２０５ｂの長さ又は角度は、紫外線発光素子２０３と回路基板の接続端子Ｔとの位置関係に応じて調整変更可能であるので、様々な形状、デザイン、サイズの腕時計に対応させ、紫外線発光素子２０３を配置することができる。
即ち、例えば、図２２に示される腕時計２００ａは、第５の実施の形態における第１の変形例であり、図１９に示される腕時計２００と同一のアナログ指針機構１５を用いつつ、時計ケース２、文字板１２の径、サイズ等を小さくした、小型の腕時計である。腕時計２００を基準として、小型の腕時計２００ａを組み立てる場合、腕時計２００の紫外線発光素子２０３より、第二折曲部２０５ｂを短く調整した紫外線発光素子２０３を用いることによって、紫外線発光素子２０３を腕時計２００ａに配置することができる。
【００８２】
より具体的には、例えば、図１９に示される腕時計２００に備えられているアナログ指針機構１５の直径ａは２５．７ｍｍであり、時計ケース２の直径ｂは３８．０ｍｍ、文字板１２の直径ｃは２９．６ｍｍ、時計ガラス３の直径ｄは２８．２ｍｍ、腕時計２００の厚さｅは１０．４ｍｍである。この腕時計２００に紫外線発光素子２０３を配置する場合、腕時計２００における各部材の位置、距離に対応させ、第一折曲部２０５ａの長さｆは３．１４ｍｍ、第二折曲部２０５ｂの長さｇは３．６５ｍｍ、と調整された紫外線発光素子２０３が備えられている。なお、紫外線発光素子２０３の光出力部２０ａの高さｈは１．０ｍｍである。
これに対し、図２２に示される腕時計２００ａに備えられているアナログ指針機構１５は、図１９に示される腕時計２００と同一の、直径ａが２５．７ｍｍのアナログ指針機構１５であるが、時計ケース２の直径ｂは３３．０ｍｍ、文字板１２の直径ｃは２６．３ｍｍ、時計ガラス３の直径ｄは２４．６ｍｍ、腕時計２００ａの厚さｅは１０．４ｍｍであるように、腕時計２００ａは小型の腕時計である。この小型の腕時計２００ａにおいて、腕時計２００ａにおける各部材の位置、距離に対応させ、第一折曲部２０５ａの長さｆは３．１４ｍｍ、第二折曲部２０５ｂの長さｇは２．１５ｍｍ、に調整された紫外線発光素子２０３を用いることにより、紫外線発光素子２０３を腕時計２００ａに配置することができる。
このように、サイズの異なる腕時計、特に、大きさ、水平方向のサイズの異なる腕時計に、同一のアナログ指針機構１５を用いる場合でも、紫外線発光素子２０３の足ピン２０４の折曲部２０５（第一折曲部２０５ａ、第二折曲部２０５ｂ）の長さ及び角度を調整することにより、紫外線発光素子２０３を配置することができる。なお、紫外線発光素子２０３の光出力部２０ａの高さｈは１．０ｍｍである。
【００８３】
また、図２３に示される腕時計２００ｂは、第５の実施の形態における第２の変形例である耐衝撃用の腕時計の一例であり、衝撃時に指針１８同士や、指針１８と時計ガラス３、文字板１２との接触を防ぐ目的により、指針１８同士の間隔や、指針１８と時計ガラス３、文字板１２との間隔が、図１９に示される腕時計２００より、広めに設定された腕時計である。そのため、指針軸１７が高くなり、それに伴い枠状部材５の厚み、腕時計２００ｂ自体の厚みが増すので、紫外線発光素子２０３の光出力部２０ａが、図１９に示される腕時計２００より文字板１２から離れた位置に備えられたものである。このような腕時計２００ｂに図１９に示される腕時計２００と同一のアナログ指針機構１５を備え、組み立てる場合、腕時計２００の紫外線発光素子２０３より、第一折曲部２０５ａを長く調整した紫外線発光素子２０３を用いることによって、紫外線発光素子２０３を腕時計２００ｂに配置することができる。
【００８４】
具体的には、図２３に示される腕時計２００ｂに備えられているアナログ指針機構１５は、図１９に示される腕時計２００と同一の、直径ａが２５．７ｍｍのアナログ指針機構１５であり、時計ケース２の直径ｂは３８．０ｍｍ、文字板１２の直径ｃは２９．６ｍｍ、時計ガラス３の直径ｄは２８．２ｍｍ、腕時計２００ｂの厚さｅは１１．０ｍｍであるように、腕時計２００ａは腕時計２００に比べ、厚みを有する腕時計である。この腕時計２００ｂにおいて、腕時計２００ｂにおける各部材の位置、距離に対応させ、第一折曲部２０５ａの長さｆは３．７４ｍｍ、第二折曲部２０５ｂの長さｇは３．６５ｍｍ、と調整された紫外線発光素子２０３を用いることにより、紫外線発光素子２０３を腕時計２００ｂに配置することができる。
このように、サイズの異なる腕時計、特に厚さ、高さ方向のサイズが異なる腕時計に、同一のアナログ指針機構１５を用いる場合でも、紫外線発光素子２０３の足ピン２０４の折曲部２０５（第一折曲部２０５ａ、第二折曲部２０５ｂ）の長さ及び角度を調整することにより、紫外線発光素子２０３を配置することができる。なお、紫外線発光素子２０３の光出力部２０ａの高さｈは１．０ｍｍである。
【００８５】
このように、足ピン２０４の折曲部２０５（第一折曲部２０５ａ、第二折曲部２０５ｂ）の長さや、折曲位置Ｐを調整することにより、様々な形状、デザイン、サイズの腕時計、特に、同一のアナログ指針機構１５を用いた腕時計における寸法に対応させて、紫外線発光素子２０３を配置することができる。
腕時計の場合、様々なデザイン、特に、外形のサイズが異なるものの需要が多く存在する。このようなデザインや外形のサイズが異なる腕時計毎に異なるアナログ指針機構１５を用いるより、各腕時計に対し、共通のアナログ指針機構１５を対応させることができれば、様々なアナログ指針機構１５を取り扱う煩雑さを解消するとともに、アナログ指針機構１５の製造コストを低減する効果もある。
【００８６】
つまり、外形のサイズが異なる腕時計に共通のアナログ指針機構１５を用いる場合であっても、本第５の実施の形態における紫外線発光素子２０３は、紫外線発光素子２０３に備えられた足ピン２０４の長さや、折曲位置Ｐ、第一折曲部２０５ａ、第二折曲部２０５ｂのそれぞれの長さや角度の調整、また、足ピン２０４の切断個所の変更等に基づく変形により、紫外線発光素子２０３を様々な腕時計に容易に対応させ配置することができるので、汎用性のある発光表示装置として有効に機能させることができる。
【００８７】
このように、第５の実施の形態にかかる腕時計によれば、第１の実施の形態と同様に、この紫外線発光素子２０３と、回路基板１３との間の距離が離れている場合でも、導電性を有する固定部材２４を介し、紫外線発光素子２０３と回路基板１３とを電気的に接続することができるとともに、回路基板１３から離れている発光部１９へも紫外線発光素子２０３をより近づけて紫外線を照射することができる。
また、所望するときに紫外線発光素子２０３を発光させて各発光部１９を自由に有色発光させることができるとともに、紫外線発光素子２０３は、その足ピン２０４が固定部材２４により押圧し、挟持されて固定されているので、その脱着が可能であり、紫外線発光素子２０３の交換を容易に行うことができる状態で、紫外線発光素子２０３と時計モジュール１内の回路基板１３とを電気的に接続することができる。特に、足ピン２０４は、任意の位置で折曲可能であるとともに、切断可能であるので、その寸法変更等により、紫外線発光素子２０３を、様々な形状、デザイン、サイズの腕時計に容易に配置することができる。
【００８８】
なお、以上説明した第１〜５の実施の形態においては、発光素子は紫外線発光素子としたが、本発明はこれに限定されるものではなく、赤外線発光素子、可視光線発光素子であってもよく、これら発光素子に応じた発光部として蛍光体等を構成するようにしてもよい。また、発光素子の数は何個でもよく、その配置位置も任意である。
また、枠状部材と回路基板との間隔は、中間部材の存在、或いは枠状部材の取付位置に応じて任意に定めてよい。
また、電子機器は腕時計に限ったものでなく、携帯電話機、自動車の計器類など、各種機器であってもよい。
また、枠状部材の形状等も任意であり、その他、具体的な細部構造等についても適宜に変更可能であることは勿論である。
【図面の簡単な説明】
【００８９】
【図１】本発明を適用した腕時計の第１の実施の形態を示した一部省略平面図である。
【図２】図１のII−II線における要部の拡大断面図である。
【図３】本発明にかかる第１、第２の実施の形態に用いられる紫外線発光素子を示す図であり、（Ａ）は正面図、（Ｂ）は底面図、（Ｃ）は側面図である。
【図４】本発明にかかる第１〜第４の実施の形態に用いられる紫外線発光素子が配置された枠状部材の要部拡大平面図である。
【図５】図２の指針の拡大図である。
【図６】本発明にかかる第１の実施の形態における第１の変形例を示す腕時計の要部の拡大断面図である。
【図７】本発明にかかる第１の実施の形態における第２の変形例を示す腕時計の要部の拡大断面図である。
【図８】本発明を適用した腕時計の第２の実施の形態を示した要部の拡大断面図である。
【図９】本発明にかかる第２の実施の形態における第１の変形例を示す腕時計の要部の拡大断面図である。
【図１０】本発明にかかる第２の実施の形態における第２の変形例を示す腕時計の要部の拡大断面図である。
【図１１】本発明にかかる第３、第４の実施の形態に用いられる紫外線発光素子を示す図であり、（Ａ）は正面図、（Ｂ）は底面図、（Ｃ）は側面図である。
【図１２】本発明を適用した腕時計の第３の実施の形態を示した要部の拡大断面図である。
【図１３】本発明にかかる第３の実施の形態における第１の変形例を示す腕時計の要部の拡大断面図である。
【図１４】本発明にかかる第３の実施の形態における第２の変形例を示す腕時計の要部の拡大断面図である。
【図１５】本発明を適用した腕時計の第４の実施の形態を示した要部の拡大断面図である。
【図１６】本発明にかかる第４の実施の形態における第１の変形例を示す腕時計の要部の拡大断面図である。
【図１７】本発明にかかる第４の実施の形態における第２の変形例を示す腕時計の要部の拡大断面図である。
【図１８】本発明を適用した腕時計の第５の実施の形態を示した一部省略平面図である。
【図１９】図１８のIXX−IXX線における要部の拡大断面図である。
【図２０】本発明にかかる第５の実施の形態における枠状部材付近を示す平面図である。
【図２１】本発明にかかる第５の実施の形態に用いられる紫外線発光素子を示す図であり、紫外線発光素子の足ピンが折曲部を有する形状を示す説明図である。
【図２２】本発明にかかる第５の実施の形態における第１の変形例を示す腕時計の要部の拡大断面図である。
【図２３】本発明にかかる第５の実施の形態における第２の変形例を示す腕時計の要部の拡大断面図である。
【符号の説明】
【００９０】
１      時計モジュール（発光表示装置）
２      時計ケース（機器ケース）
２ａ    凸部
３      時計ガラス
５      枠状部材
５ａ    貫通孔
１０    上部ハウジング（中間部材）
１０ａ  貫通孔
１１    下部ハウジング
１２    文字板（中間部材）
１２ａ  軸孔
１２ｂ  貫通孔
１３    回路基板
１４    中枠
１５    アナログ指針機構（中間部材）
１５ａ  接続孔
１５ｂ  空間（貫通孔）
１６    液晶表示素子
１７    指針軸
１８    指針
１９    発光部
２０ａ  光出力部
２０ｂ  電極端子
２０ｃ  緩衝材
２０ｄ  足ピン（接続部材、コンタクト部材）
２１    コンタクト部材（接続部材）
２１ａ  支持軸
２１Ａ  接続部材
２２    コイルばね（接続部材、付勢部材）
２２Ａ  コイルばね（接続部材、付勢部材）
２３    緩衝部材
２４    固定部材（接続部材）
２４ａ  当接部
２５    半田固定部
２０４    足ピン（接続部材、コンタクト部材、折曲部）
２０５    折曲部
２０５ａ  第一折曲部（折曲部）
２０５ｂ  第二折曲部（折曲部）
Ｔ        接続端子
Ｐ        折曲位置
Ｂ        時計バンド
１００、２００、２００ａ、２００ｂ  腕時計
２０１、２０２、２０３  紫外線発光素子（発光素子）
【図１】
0004702327.tif 000002
【図２】
0004702327.tif 000003
【図３】
0004702327.tif 000004
【図４】
0004702327.tif 000005
【図５】
0004702327.tif 000006
【図６】
0004702327.tif 000007
【図７】
0004702327.tif 000008
【図８】
0004702327.tif 000009
【図９】
0004702327.tif 000010
【図１０】
0004702327.tif 000011
【図１１】
0004702327.tif 000012
【図１２】
0004702327.tif 000013
【図１３】
0004702327.tif 000014
【図１４】
0004702327.tif 000015
【図１５】
0004702327.tif 000016
【図１６】
0004702327.tif 000017
【図１７】
0004702327.tif 000018
【図１８】
0004702327.tif 000019
【図１９】
0004702327.tif 000020
【図２０】
0004702327.tif 000021
【図２１】
0004702327.tif 000022
【図２２】
0004702327.tif 000023
【図２３】
0004702327.tif 000024